(57)【要約】【課題】厚さが相違する個々のマットレスに対して、所定の位置に枕を装着することができる枕の装着具を提供することである。【解決手段】マットレスに取り付ける取付部３０と、枕２をマットレスに配置する収容部５を有し、取付部３０は、マットレスの上面を覆う上面被覆部３ａと、下面を覆う下面被覆部３ｂと、マットレスの長手方向の少なくとも一方側の側面部を覆う側面被覆部３ｃと、マットレスの側面部と交差する交差側面部を覆う交差側面被覆部３ｅ、３ｆを有し、上面被覆部３ａと下面被覆部３ｂは、側面被覆部３ｃと交差側面被覆部３ｅ、３ｆを介して接続されており、側面被覆部３ｃと交差側面被覆部３ｅ、３ｆは断絶されており、側面被覆部３ｃと交差側面被覆部３ｅ、３ｆには、各々マチ８、１２が設けられており、上面被覆部３ａに、収容部５が設けられている。【選択図】図２
2020163010.tif 000002
【特許請求の範囲】
【請求項１】
マットレスに取り付ける取付部と、枕を前記マットレスに配置する配置部を有し、
前記取付部は、
マットレスの上面を覆う上面被覆部と、下面を覆う下面被覆部と、マットレスの長手方向の少なくとも一方側の側面部を覆う側面被覆部と、マットレスの前記側面部と交差する交差側面部を覆う交差側面被覆部を有し、
前記上面被覆部と下面被覆部は、前記側面被覆部と交差側面被覆部を介して接続されており、
前記側面被覆部と交差側面被覆部は断絶されており、
前記側面被覆部と交差側面被覆部には、各々マチが設けられており、
前記上面被覆部に、前記配置部が設けられていることを特徴とするマットレスへの枕の装着具。
【請求項２】
前記側面被覆部と交差側面被覆部の各々のマチは、開いた位置と閉じた位置の途中の位置で固定可能な固定手段を有することを特徴とする請求項１に記載のマットレスへの枕の装着具。
【請求項３】
マットレスに取り付ける取付部と、枕を前記マットレスに配置する配置部を有し、
前記取付部は、
マットレスの上面を覆う上面被覆部と、下面を覆う下面被覆部と、マットレスの長手方向の少なくとも一方側の側面部を覆う側面被覆部を有し、
前記上面被覆部と下面被覆部は、前記側面被覆部を介して接続されており、
前記側面被覆部にはマチが設けられており、
前記上面被覆部側と下面被覆部側を分離可能に結合する結合手段を有し、前記結合手段は、平行状態で対向する上面被覆部と下面被覆部の距離を所定の範囲内で変更可能に結合でき、
前記上面被覆部に、前記配置部が設けられていることを特徴とするマットレスへの枕の装着具。
【請求項４】
前記マチは、開いた位置と閉じた位置の途中の位置で固定可能な固定手段を有することを特徴とする請求項３に記載のマットレスへの枕の装着具。
【請求項５】
マットレスの前記側面部と交差して連続する交差側面部を覆う交差側面被覆部を有し、
前記交差側面被覆部は、上面被覆部と連続する上部側分割片と、下面被覆部と連続する下部側分割片を有し、
前記上部側分割片と下部側分割片に前記結合手段が設けられていることを特徴とする請求項３又は４に記載のマットレスへの枕の装着具。
【請求項６】
前記結合手段は、面ファスナーであることを特徴とする請求項３乃至５のいずれかに記載のマットレスへの枕の装着具。
【発明の詳細な説明】
【技術分野】
【０００１】
本発明は、マットレスの特定の位置に枕を装着する装着具に関するものである。
【背景技術】
【０００２】
弾力性を有するマットレスを使用すると、使用者は快適に就寝することができる。使用者が就寝する際には、枕が使用されることが多い。マットレス上に枕をそのまま配置すると、就寝者が寝返りしたり、マットレスを載置したベッドが起立することによって、枕がマットレスから落下したり、位置がずれることがある。
そこで、従来、枕の位置がずれないようにするための構成が提案されている。例えば、特許文献１には枕の位置を固定することができる部材が装着された「起倒ベッドの落下防止カバー」の発明が開示されている。
【先行技術文献】
【特許文献】
【０００３】
【特許文献１】特開２００７−２９３４２号公報
【発明の概要】
【発明が解決しようとする課題】
【０００４】
特許文献１の落下防止カバーには、枕ホルダと称する紐状の取付具が設けられている。この枕ホルダは、一端（固定端）が落下防止カバーの特定の位置に固定されており、自由端側にはループが構成されている。そして、枕は、枕ホルダのループ部分に装着される。この状態でベッド（マットレス）が起立すると、固定端である一端が上になり、自由端側のループ（枕）が下になり、枕はループを介して枕ホルダの固定端で支持され、ベッドから落下することが防止される。すなわち、ベッドが起立すると、枕は枕ホルダで吊されたような状態になってベッド上に保持される。
ところが、枕ホルダは、ベッドが起立したときに枕がベッドから落下しないように保持するものであり、水平状態では使用者が寝返りをして枕に力が掛かると、枕は移動してしまう。
【０００５】
特許文献１に開示された落下防止カバーには折込部が設けられており、折込部を折り込むことによって、落下防止カバーがマットレスの上面側から側面を経て下面側に回り込んで略コの字形を呈するようにマットレスを覆う。そして、落下防止カバーにおけるマットレスの上面側を覆う部位と下面側を覆う部位とを連結具で連結して落下防止カバーをマットレスに固定する。
【０００６】
ところが、マットレスには側面部の高さに相当する厚さの規格が存在する。そのため、特許文献１に開示されているような従来の落下防止カバーをマットレスに使用すると、マットレスに対する枕の配置位置が、マットレスの厚さによって変動してしまう。すなわち、マットレスの厚さが厚い（側面の寸法が大きい）と、側面を多く覆う分だけ上面側及び下面側を覆う部位が少なくなり、枕はマットレスの端部側へ偏った位置に配置される。逆に、マットレスの厚さが薄いと、枕はマットレスの中央側に配置される。そのため従来の構成では、個々の厚さのマットレスに対応した複数種類の落下防止カバーを製造せざるを得ない。
【０００７】
そこで本発明は、厚さの相違する個々のマットレスに対して、所定の位置に枕を装着することができる枕の装着具を提供することを目的としている。
【課題を解決するための手段】
【０００８】
上記課題を解決するための請求項１に記載の発明は、マットレスに取り付ける取付部と、枕を前記マットレスに配置する配置部を有し、前記取付部は、マットレスの上面を覆う上面被覆部と、下面を覆う下面被覆部と、マットレスの長手方向の少なくとも一方側の側面部を覆う側面被覆部と、マットレスの前記側面部と交差する交差側面部を覆う交差側面被覆部を有し、前記上面被覆部と下面被覆部は、前記側面被覆部と交差側面被覆部を介して接続されており、前記側面被覆部と交差側面被覆部は断絶されており、前記側面被覆部と交差側面被覆部には、各々マチが設けられており、前記上面被覆部に、前記配置部が設けられていることを特徴とするマットレスへの枕の装着具である。
【０００９】
請求項１に記載の発明では、マットレスに取り付ける取付部と、枕をマットレスに配置する配置部を有する。すなわち装着具の取付部をマットレスに取り付けることにより、枕を配置する配置部がマットレスに固定される。
また、装着具の取付部は、マットレスの上面を覆う上面被覆部と、下面を覆う下面被覆部と、マットレスの長手方向の少なくとも一方側の側面部を覆う側面被覆部と、マットレスの側面部と交差する交差側面部を覆う交差側面被覆部を有し、上面被覆部と下面被覆部は、側面被覆部と交差側面被覆部を介して接続されており、側面被覆部と交差側面被覆部は断絶されており、側面被覆部と交差側面被覆部には各々マチが設けられているので、マチを開閉することにより、平行状態の上面被覆部と下面被覆部の間隔を変更することができる。すなわち、マチを開いた状態にするか、又は閉じた状態にすることにより、上面被覆部と下面被覆部の間隔が変化し、異なる厚さのマットレスに同一の装着具を装着することができる。
そして、上面被覆部に枕を配置する配置部が設けられているので、厚さの相違するマットレスに対して、枕を適切に配置することができる。すなわち、マットレスの上面の所定の位置に枕を配置することができる。
【００１０】
請求項２に記載の発明は、前記側面被覆部と交差側面被覆部の各々のマチは、開いた位置と閉じた位置の途中の位置で固定可能な固定手段を有することを特徴とする請求項１に記載のマットレスへの枕の装着具である。
【００１１】
請求項２に記載の発明では、側面被覆部と交差側面被覆部の各々のマチは、開いた位置と閉じた位置の途中の位置で固定可能な固定手段を有するので、装着具は、マチを開き且つ固定手段を使用しない場合における最大寸法と、マチを開き且つ固定手段を使用した場合における中間寸法と、マチを閉じた場合における最小寸法を呈することができる。すなわち、装着具を少なくとも三つの厚さのマットレスに適応させることができる。
固定手段として面ファスナーを使用すると、最大寸法と最小寸法の間で様々な大きさの中間寸法を実現できる。
【００１２】
請求項３に記載の発明は、マットレスに取り付ける取付部と、枕を前記マットレスに配置する配置部を有し、前記取付部は、マットレスの上面を覆う上面被覆部と、下面を覆う下面被覆部と、マットレスの長手方向の少なくとも一方側の側面部を覆う側面被覆部を有し、前記上面被覆部と下面被覆部は、前記側面被覆部を介して接続されており、前記側面被覆部にはマチが設けられており、前記上面被覆部側と下面被覆部側を分離可能に結合する結合手段を有し、前記結合手段は、平行状態で対向する上面被覆部と下面被覆部の距離を所定の範囲内で変更可能に結合でき、前記上面被覆部に、前記配置部が設けられていることを特徴とするマットレスへの枕の装着具である。
【００１３】
請求項３に記載の発明では、マットレスに取り付ける取付部と、枕をマットレスに配置する配置部を有する。すなわち装着具の取付部をマットレスに取り付けることにより、装着具の枕を配置する配置部がマットレスに固定される。
取付部は、マットレスの上面を覆う上面被覆部と、下面を覆う下面被覆部と、マットレスの長手方向の少なくとも一方側の側面部を覆う側面被覆部を有し、上面被覆部と下面被覆部は、側面被覆部を介して接続されており、側面被覆部にはマチが設けられているので、マチを開閉することにより、平行状態の上面被覆部と下面被覆部の間隔を変更することができる。すなわち、マチを開いた状態にするか、又は閉じた状態にすることにより、異なる厚さのマットレスに同一の装着具を装着することができる。
また、上面被覆部側と下面被覆部側を分離可能に結合する結合手段を有し、結合手段は、平行状態で対向する上面被覆部と下面被覆部の距離を所定の範囲内で変更可能に結合できるので、装着具はマットレスに密着させて装着することができる。
そして、上面被覆部に枕を配置する配置部が設けられているので、厚さの相違するマットレスに対して、枕を適切に配置することができる。すなわち、マットレスの上面の所定の位置に枕を配置することができる。
【００１４】
請求項４に記載の発明は、前記マチは、開いた位置と閉じた位置の途中の位置で固定可能な固定手段を有することを特徴とする請求項３に記載のマットレスへの枕の装着具である。
【００１５】
請求項４に記載の発明では、マチは、開いた位置と閉じた位置の途中の位置で固定可能な固定手段を有するので、装着具は、マチを開き且つ固定手段を使用しない最大寸法と、マチを開き且つ固定手段を使用した中間寸法と、マチを閉じた最小寸法を呈することができる。すなわち、装着具は、少なくとも三つの厚さのマットレスに適応することができる。
固定手段として面ファスナーを使用すると、最大寸法と最小寸法の間で様々な大きさの中間寸法を実現できる。
【００１６】
マットレスの側面部と交差して連続する交差側面部を覆う交差側面被覆部を有し、交差側面被覆部は、上面被覆部と連続する上部側分割片と、下面被覆部と連続する下部側分割片を有し、上部側分割片と下部側分割片に結合手段が設けられているのが好ましい（請求項５）。
【００１７】
請求項６に記載の発明は、前記結合手段は、面ファスナーであることを特徴とする請求項３乃至５のいずれかに記載のマットレスへの枕の装着具である。
【００１８】
請求項６に記載の発明では、結合手段は、面ファスナーであるので、着脱が容易である。また、マットレスの厚さに対応するように、装着具の高さ寸法を面ファスナーの範囲内で無段階に変更することができる。
【発明の効果】
【００１９】
本発明によると、同一の装着具で、厚さが相違するマットレスに枕を良好に装着することができる。
【図面の簡単な説明】
【００２０】
【図１】本実施形態に係る枕の装着具を取り付けたマットレスの斜視図であり、（ａ）は装着具に枕を装着していない状態を示し、（ｂ）は、装着具に枕を装着した状態を示す。
【図２】図１の装着具の斜視図であり、（ａ）は、マチを閉鎖した状態を示し、（ｂ）は、開放したマチを途中まで拡げた状態を示し、（ｃ）は、開放したマチを完全に拡げた状態を示す。
【図３】（ａ）〜（ｃ）は、図２（ａ）〜（ｃ）の側面被覆部のマチの部分拡大斜視図である。
【図４】（ａ）〜（ｃ）は、厚さの異なるマットレスに枕の装着具を取り付けた状態を示す斜視図である。
【図５】装着具が装着されたマットレスの斜視図であり、（ａ）は、全てのマチが閉じた状態を示し、（ｂ）は、マットレスの長手方向の一端側の側面部を覆う側面被覆部に設けられたマチのみが開放された状態を示す。
【図６】別の実施形態に掛かる枕の装着具の、（ａ）は展開図であり、（ｂ）は組み立て途中の状態を示す斜視図であり、（ｃ）は最大厚さのマットレスに対応するように組み立てた状態を示す斜視図であり、（ｄ）は、（ｃ）よりも薄く組み立てた状態を示す斜視図であり、（ｅ）は、最小厚さのマットレスに対応するように組み立てた状態を示す斜視図である。
【図７】図６とは別の形態の枕の装着具の、（ａ）は展開図であり、（ｂ）は組み立てた状態を示す斜視図であり、（ｃ）は、（ｂ）の部分拡大斜視図である。
【発明を実施するための形態】
【００２１】
以下、図面を参照しながら説明する。
図１（ａ）、図１（ｂ）に示すように、本実施形態に係る装着具３が装着されるマットレス１は直方体（六面体）であり、上面部１ａ、下面部１ｂ、一方側の側面部１ｃ、他方側の側面部１ｄ、一方側の交差側面部１ｅ、他方側の交差側面部１ｆを有する。
【００２２】
本実施形態では、便宜上、マットレス１の長手方向の一端側を、マットレス使用者の頭部が載置されることを想定した頭部配置側と称し、他端側をマットレス使用者の足が載置されることを想定した足部配置側と称している。装着具３は、マットレス１の頭部配置側に装着される。
【００２３】
装着具３は、柔らかい生地で構成されており、図２（ａ）に示すように、上面被覆部３ａ、下面被覆部３ｂ、側面被覆部３ｃ、一方側の交差側面被覆部３ｅ、他方側の交差側面被覆部３ｆで構成された取付部３０を有する。すなわち、装着具３は、六面のうちの五面が閉じ、残りの一面が開放された袋状の取付部３０を有する部材である。図１（ａ）に示すように、装着具３には、マットレス１の角部分を突出させる詳しくは後述する開口６ａ、６ｂが設けられている。
【００２４】
上面被覆部３ａの上面（外面）には、略四角形の柔らかい生地で形成された薄い布片４の三辺が縫い付けられて固定されており、上面被覆部３ａと布片４の間で収容部５が形成されている。布片４の残りの一辺は開放されており、開放された一辺が収容部５の内外を連通させる開口５ａを構成している。収容部５には、枕２を収容することができる。詳しくは後述するが、収容部５は、マットレス１に枕２を配置する配置部として機能する。
【００２５】
下面被覆部３ｂは、布片４が設けられていない点を除いて上面被覆部３ａと同様の構造を有している。すなわち、下面被覆部３ｂは、上面被覆部３ａと間隔を置いて平行姿勢で対向する部位である。
【００２６】
側面被覆部３ｃは、図１（ａ）に示すように、マットレス１の頭部配置側の端面を覆う部位である。図２（ａ）に示すように、側面被覆部３ｃは、上面被覆部３ａと連続する上側片７ａと、下面被覆部３ｂと連続する下側片７ｂと、マチ８を有する。
【００２７】
上側片７ａと下側片７ｂは、マチ８を介して接続されている。また、上側片７ａの下端と、下側片７ｂの上端には、ファスナー９が設けられている。すなわち、上側片７ａと下側片７ｂは、ファスナー９で締結（着脱）が可能である。
【００２８】
具体的には、ファスナー９を締結することによって、上側片７ａと下側片７ｂが最も接近した位置で固定される。このとき、マチ８は装着具３の内部空間に収容され、図２（ａ）に示す状態になる。また、ファスナー９の締結を解除することによって、上側片７ａと下側片７ｂは、マチ８の範囲で任意の相対位置に移動することができる。例えば、上側片７ａと下側片７ｂは、図２（ａ）、図３（ａ）に示すファスナー９が締結した最も接近した位置から、図２（ｂ）、図３（ｂ）に示すような中間位置や、図２（ｃ）、図３（ｃ）に示すような最も離間した位置に移動することができる。
【００２９】
また、マチ８の途中の部位には、図３（ｃ）に示すように、面ファスナー構成部１０ａ、１０ｂからなる面ファスナー１０（固定手段）が設けられている。面ファスナー１０は、側面被覆部３ｃの長手方向に沿って延びており、互いに接近させて締結させることができる。すなわち、図２（ｂ）、図３（ｂ）に示すように、面ファスナー１０（面ファスナー構成部１０ａ、１０ｂ同士）を締結し、上側片７ａと下側片７ｂの相対位置を中間位置に固定することができる。
【００３０】
交差側面被覆部３ｅは、図１（ａ）に示すように、マットレス１の交差側面部１ｅを覆う部位である。図２（ａ）に示すように、交差側面被覆部３ｅは、上面被覆部３ａと連続する上側片１１ａと、下面被覆部３ｂと連続する下側片１１ｂと、マチ１２を有する。
【００３１】
上側片１１ａと下側片１１ｂは、マチ１２を介して接続されている。また、上側片１１ａの下端と、下側片１１ｂの上端には、ファスナー１３が設けられている。すなわち、上側片１１ａと下側片１１ｂは、ファスナー１３で締結（着脱）が可能である。
【００３２】
具体的には、ファスナー１３を締結することによって、上側片１１ａと下側片１１ｂが最も接近した位置で固定される。このとき、マチ１２は装着具３の内部空間に収容される。また、ファスナー１３の締結を解除することによって、上側片１１ａと下側片１１ｂは、マチ１２の範囲で任意の相対位置に移動することができる。例えば、上側片１１ａと下側片１１ｂは、図２（ａ）に示すファスナー１３が締結した最も接近した位置から、図２（ｂ）に示すような中間位置や、図２（ｃ）に示すような最も離間した位置に移動することができる。
【００３３】
また、マチ１２の途中の部位には、図２（ｃ）に示すように、面ファスナー構成部１４ａ、１４ｂからなる面ファスナー１４（固定手段）が設けられている。面ファスナー１４は、交差側面被覆部３ｅの長手方向に沿って延びており、互いに接近させて締結させることができる。すなわち、図２（ｂ）に示すように、面ファスナー１４を締結し、上側片１１ａと下側片１１ｂの相対位置を中間位置で固定することができる。
【００３４】
交差側面被覆部３ｆは、交差側面被覆部３ｅと左右対称形であって同様の構造を有しており、重複する説明は省略する。交差側面被覆部３ｆにおける各部の符号は、交差側面被覆部３ｅの各部の符号（例えばファスナー１３）と兼用することとする。
【００３５】
図２（ａ）等に示すように、上面被覆部３ａ、下面被覆部３ｂ、側面被覆部３ｃ、交差側面被覆部３ｅによって開口６ａが形成されている。すなわち、側面被覆部３ｃと交差側面被覆部３ｅは接続されておらず、離間（断絶）している。
【００３６】
同様に、上面被覆部３ａ、下面被覆部３ｂ、側面被覆部３ｃ、交差側面被覆部３ｆによって開口６ｂが形成されており、側面被覆部３ｃと交差側面被覆部３ｆは接続されておらず、離間（断絶）している。
【００３７】
開口６ａ、６ｂの大きさ（鉛直方向の寸法）は、上面被覆部３ａと下面被覆部３ｂの間隔によって変化する。すなわち、上面被覆部３ａと下面被覆部３ｂの間隔が変化することによって変化する。
【００３８】
ここで、側面被覆部３ｃと交差側面被覆部３ｅの間、及び側面被覆部３ｃと交差側面被覆部３ｆの間は断絶されている必要があるが、開口６ａ、６ｂは必須ではない。すなわち、側面被覆部３ｃと交差側面被覆部３ｆが断絶されていることにより、側面被覆部３ｃのマチ８と交差側面被覆部３ｆのマチ１２の伸縮動作を、互いに干渉することなく個別に実施することができる。
【００３９】
次に、装着具３の、様々な厚さのマットレス１への装着の仕方について説明する。
【００４０】
図４（ａ）は、比較的厚さの薄いマットレス１に装着具３を装着した状態を示している。マットレス１に装着具３を装着すると、マットレス１の上面部１ａ、下面部１ｂ、側面部１ｃ、交差側面部１ｅ、１ｆが、それぞれ装着具３の上面被覆部３ａ、下面被覆部３ｂ、側面被覆部３ｃ、交差側面被覆部３ｅ、３ｆで覆われる。マットレス１の頭部配置側の二つの角が、装着具３の開口６ａ、６ｂから突出しており、良好なデザインを呈している。すなわち、装着具３を装着したマットレス１は、優れた意匠性を呈することができる。
【００４１】
薄いマットレス１（高さ寸法が小さいマットレス１）に装着具３を装着する場合には、図２（ａ）に示すように、側面被覆部３ｃのファスナー９と、交差側面被覆部３ｅ、３ｆのファスナー１３を締結する。その結果、側面被覆部３ｃの上側片７ａと下側片７ｂが最も近接した位置で固定されると共に、交差側面被覆部３ｅ、３ｆの上側片１１ａと下側片１１ｂが最も近接した位置で固定され、上面被覆部３ａと下面被覆部３ｂの間隔が最も小さくなる。そして、薄いマットレス１と装着具３の間に隙間が生じることがなく、図４（ａ）に示すように、装着具３をマットレス１に装着することができる。
【００４２】
なお、ファスナー９、１３が閉じた場合、図２（ａ）、図３（ａ）に示すようにマチ８（側面被覆部３ｃ）及び１２（交差側面被覆部３ｅ）が弛んだ状態となるが、図４（ａ）では、マチ８及び１２の弛んだ部位の描写は省略している。図４（ｂ）の描写も同様である。
【００４３】
また、厚いマットレス１（高さ寸法が大きいマットレス）に装着具３を装着する場合には、図２（ｃ）に示すように、ファスナー９、１３を外し、マチ８、１２を最大限に上下方向に拡げる。これにより、上面被覆部３ａと下面被覆部３ｂの間隔が最大となり、装着具３を厚いマットレス１にちょうど装着することができるようになる。すなわち、厚いマットレス１と装着具３の間に隙間が生じることがなく、図４（ｃ）に示すように、装着具３をマットレス１に装着することができる。
【００４４】
さらに、厚さが中間程度のマットレス１に装着具３を装着する場合には、図２（ｂ）に示すように、側面被覆部３ｃのファスナー９と、交差側面被覆部３ｅ、３ｆのファスナー１３を外すと共に、マチ８の面ファスナー１０を締結すると共に、マチ１２の面ファスナー１４を締結する。これにより、上面被覆部３ａと下面被覆部３ｂの間隔が中間程度となり、厚さが中間程度のマットレス１に対して装着具３をちょうど装着することができるようになる。すなわち、厚さが中間程度のマットレス１と装着具３の間に隙間が生じることがなく、図４（ｂ）に示すように、装着具３をマットレス１に装着することができる。
【００４５】
マットレス１に装着具３を装着することにより、収容部５に収容した枕２が、マットレス１の所定の位置に装着（配置）される。マットレス１の頭部配置側の端部から枕２までの距離Ａは、図４（ａ）〜図４（ｃ）に示すように、マットレス１の厚さによらず一定である。すなわち、枕２はマットレス１の厚さによらず、マットレス１の頭部配置側の端部から所定の距離Ａの位置に装着される。
【００４６】
本実施形態では、側面被覆部３ｃのマチ８に面ファスナー１０を設け、交差側面被覆部３ｅのマチ１２に面ファスナー１４を設けた例を示したが、固定手段として、面ファスナー１０、１４の代わりに釦やフックを使用することもできる。すなわち、釦又はフックを所定の間隔で配置し、必要に応じて釦又はフックを止めることにより、マチ８、１２を短くする（側面被覆部３ｃ及び交差側面被覆部３ｅの高さを低くする）こともできる。
【００４７】
次に、装着具３の別の使用の仕方について説明する。
【００４８】
図５（ａ）、図５（ｂ）は、共に薄いマットレス１に装着具３を装着した状態を示している。図５（ａ）に示す形態は、装着具３は、側面被覆部３ｃのファスナー９と、交差側面被覆部３ｅ、３ｆのファスナー１３を締結しており、実質的に、図４（ａ）に示す形態と同様である。枕２は、収容部５に収容された結果、マットレス１の長手方向の枕２の位置は、頭部配置側の端部から距離Ａの位置に固定されている。
【００４９】
次に、図５（ｂ）に示す形態では、装着具３は、交差側面被覆部３ｅ、３ｆのファスナー１３を締結した状態を維持し、側面被覆部３ｃのファスナー９のみを外している。その結果、マチ８が拡がり、図５（ｂ）に示すように、マットレス１の長手方向の枕２の位置は、頭部配置側の端部から距離Ｂ（Ｂ＞Ａ）の位置に固定されている。すなわち、枕２を収容した収容部５が、足部配置側へ移動している。
【００５０】
これにより、図５（ａ）に示す形態を、身長が高い使用者用として採用することができ、図５（ｂ）に示す形態を、身長が低い使用者用として採用することができる。すなわち、図５（ａ）に示す形態でも、身長が低い使用者はマットレス１を使用することができるが、頭部側が逼迫するのに対して、足部側には非常に広い空間ができてしまう。そこで、身長が低い使用者がマットレス１を使用する場合には、装着具３を図５（ｂ）に示すような形態でマットレス１に装着し、頭部側の空間を拡げるのが好ましい。
【００５１】
また、装着具３は、マットレス１の上面部１ａを覆う上面被覆部３ａと、下面部１ｂを覆う下面被覆部３ｂと、マットレス１の長手方向の一方側の側面部１ｃを覆う側面被覆部３ｃと、マットレス１の側面部１ｃと交差する交差側面部１ｅ、１ｆを覆う交差側面被覆部３ｅ、３ｆを有するので、マットレス１の表面の少なくとも五面が装着具３で覆われる。すなわち、装着具３はマットレス１のカバーとして機能する。
【００５２】
本実施形態に係る装着具３は、上面被覆部３ａに薄い布片４が縫い付けられて、収容部５（配置部）が設けられている。すなわち、収容部５は袋状の部位であり、枕２を収容部５に収容することによって、枕２が装着具３に対して相対移動不能に固定される。また、装着具３は、取付部３０によってマットレス１に相対移動不能に固定されている。そのため、枕２は装着具３を介してマットレス１の所定の位置に固定されている。
【００５３】
収容部５の開口５ａは、収容部５における頭部配置側に設けられているため、マットレス１が起立しても枕２は収容部５（装着具３）から脱落することがない。すなわち、マットレス１が水平状態と起立状態のいずれの姿勢をとっても、枕２はマットレス１から落下することはない。
【００５４】
また、袋状の収容部５内に配置された枕２に、使用者（就寝者）が直接触れることが
できないため、使用者が寝返りをしても、マットレス１に対する枕２の位置は変動しない。
さらに、収容部５は、布片４を上面被覆部３ａに縫い付けられて構成されているため、一時的に枕２が不要になった際に、収容部５から枕２を取り出しても、布片４が平坦な状態になり、使用者の就寝の邪魔にはならない。
【００５５】
さらに、装着具３は、マットレス１に対して着脱が可能であるので、汚れた場合にはマットレス１から外し、洗濯することができる。
【００５６】
次に、図６を参照しながら、別の形態の装着具２３について説明する。
図６（ａ）は、装着具２３の展開図であって、装着具２３の外面側を示している。装着具２３は、柔らかい生地で構成されており、図６（ａ）に示すように装着具２３は、上面被覆部２３ａ、下面被覆部２３ｂ、側面被覆部２３ｃを有する。
【００５７】
上面被覆部２３ａの外面には、柔らかい生地で構成された布片２４の三辺が縫い付けられて閉じており、一辺が開放されている。すなわち、上面被覆部２３ａと布片２４で枕２を収容する収容部２５が形成されており、開放された一辺が開口２５ａ（枕２を出し入れする開口）を構成している。
【００５８】
上面被覆部２３ａの両側の辺（図６（ａ）では左右の辺）には、上部側分割片１５ａ、１５ｂが設けられている。上部側分割片１５ａは、折れ曲がり部１７ａを介して上面被覆部２３ａと連続している。すなわち上部側分割片１５ａは、折れ曲がり部１７ａによって上面被覆部２３ａと直交するように折れ曲がることができる。同様に、上部側分割片１５ｂも折れ曲がり部１７ｂを介して上面被覆部２３ａと連続しており、上部側分割片１５ｂは折れ曲がり部１７ｂで上面被覆部２３ａと直交するように折れ曲がることができる。
【００５９】
上部側分割片１５ａ、１５ｂには、各々面ファスナー構成部１６ａ、１６ｂが設けられている。
【００６０】
また、上面被覆部２３ａにおける両折れ曲がり部１７ａ、１７ｂと直交する辺（図６（ａ）では下側の辺）には、折れ曲がり部２１ａを介して側面被覆部２３ｃが連続している。すなわち、側面被覆部２３ｃは、折れ曲がり部２１ａで上面被覆部２３ａに対して直交するように折れ曲がることができる。
【００６１】
また、側面被覆部２３ｃは、折れ曲がり部２１ｂを介して下面被覆部２３ｂと連続している。すなわち、側面被覆部２３ｃは、折れ曲がり部２１ａと２１ｂの間の部位である。この折れ曲がり部２１ａ、２１ｂの間隔は、装着具２３の一つの形態（厚さ寸法が大きいマットレス１に装着するときの形態）における高さ寸法に相当する。
【００６２】
側面被覆部２３ｃの、折れ曲がり部２１ａ付近には、ファスナー２２の一片２２ａが設けられている。また、折れ曲がり部２１ｂ付近には、ファスナー２２の他片２２ｂが設けられている。ファスナー２２の一片２２ａと他片２２ｂの間の部位（領域）は、第１マチ部２８ａを構成している。
【００６３】
ファスナー２２の一片２２ａ、他片２２ｂの間には、面ファスナー構成部２７ａ、２７ｂから成る面ファスナー２７（固定手段）が設けられている。面ファスナー構成部２７ａ、２７ｂの間の部位（領域）は、第２マチ部２８ｂを構成している。
【００６４】
上述のように、側面被覆部２３ｃには、折れ曲がり部２１ｂを介して下面被覆部２３ｂが連続している。下面被覆部２３ｂは、上面被覆部２３ａと同じ大きさ（面積）を有する。
【００６５】
下面被覆部２３ｂの両側の辺（図６では左右の辺）には、折れ曲がり部２０ａ、２０ｂを介して下部側分割片１８ａ、１８ｂが設けられている。下部側分割片１８ａ、１８ｂは、折れ曲がり部２０ａ、２０ｂによって、下面被覆部２３ｂと直交するように折れ曲がることができる。
【００６６】
下部側分割片１８ａ、１８ｂには、各々面ファスナー構成部１９ａ、１９ｂが設けられている。面ファスナー構成部１９ａ、１９ｂは、上部側分割片１５ａ、１５ｂの面ファスナー構成部１６ａ、１６ｂと結合して、面ファスナー２９ａ、２９ｂ（結合手段）を構成する。
【００６７】
次に、装着具２３の組み立て方法について説明する。
【００６８】
図６（ｂ）に示すように、まず、折れ曲がり部２１ａ、２１ｂを折り曲げ、側面被覆部２３ｃに対して、上面被覆部２３ａ及び下面被覆部２３ｂを直交させる。このとき、上面被覆部２３ａと下面被覆部２３ｂは平行状態になる。
【００６９】
そして、折れ曲がり部１７ａ、１７ｂを図６（ｂ）で見て下方へ折り曲げ、上面被覆部２３ａに対して上部側分割片１５ａ、１５ｂを直交させる。また、折れ曲がり部２０ａ、２０ｂを上方へ折り曲げ、下面被覆部２３ｂに対して下部側分割片１８ａ、１８ｂを直交させる。
【００７０】
その結果、上部側分割片１５ａと下部側分割片１８ａが接触し、図６（ｃ）に示すように、面ファスナー２９ａ（面ファスナー構成部１６ａと面ファスナー構成部１９ａ）が締結され、面ファスナー２９ｂ（面ファスナー構成部１６ｂと面ファスナー構成部１９ｂ）が締結される。そして、装着具２３は、六面のうちの五面を囲む形態を呈する。図６（ｃ）に示す形態では、装着具２３の高さ寸法は最大となっている。
【００７１】
また、図６（ａ）に示すように、上面被覆部２３ａ及び上部側分割片１５ａ、１５ｂには、連続した端辺３１が形成されており、下面被覆部２３ｂ及び下部側分割片１８ａ、１８ｂには、連続した端辺３２が形成されている。そして装着具２３を組み立てると、端辺３１、３２が接合され、四角形の開口が形成される。この開口の大きさは、マットレス１の横断面の大きさと一致している。
【００７２】
ここで、図６（ｄ）に示すように、側面被覆部２３ｃに設けた面ファスナー２７を閉じると、第２マチ部２８ｂが閉じ、装着具２３（側面被覆部２３ｃ）の高さ寸法が小さくなる。このとき、上部側分割片１５ａ、１５ｂの面ファスナー構成部１６ａ、１６ｂと、下部側分割片１８ａ、１８ｂの面ファスナー構成部１９ａ、１９ｂの互いの係合位置を変えることにより、上面被覆部２３ａと下面被覆部２３ｂの平行姿勢を維持することができる。すなわち、第２マチ部２８ｂが閉じ、側面被覆部２３ｃの高さが小さくなった分だけ上部側分割片１５ａ、１５ｂと下部側分割片１８ａ、１８ｂを相対的に移動させ、上面被覆部２３ａと下面被覆部２３ｂが平行になった状態で面ファスナー構成部１６ａ、１６ｂと面ファスナー構成部１９ａ、１９ｂを締結する。
【００７３】
また、図６（ｅ）に示すように、側面被覆部２３ｃに設けたファスナー２２を閉じると、第１マチ部２８ａが閉じ、側面被覆部２３ｃの高さ寸法がさらに小さくなる。この側面被覆部２３ｃの高さ寸法に合わせて、上部側分割片１５ａ、１５ｂの面ファスナー構成部１６ａ、１６ｂと、下部側分割片１８ａ、１８ｂの面ファスナー構成部１９ａ、１９ｂの互いの係合位置を変更し、上面被覆部２３ａと下面被覆部２３ｂの平行姿勢を維持することができる。
【００７４】
すなわち、図６（ｃ）に示すように、ファスナー２２（第１マチ部２８ａ）及び面ファスナー２７（第２マチ部２８ｂ）を開くと、側面被覆部２３ｃの高さが最大となり、厚さが大きいマットレス１に装着具２３を装着することができる。
【００７５】
また、図６（ｄ）に示すように、面ファスナー２７（第２マチ部２８ｂ）を閉じると、側面被覆部２３ｃの高さが低くなり、装着具２３を中程度の厚さのマットレス１にちょうど装着することができるようになる。このとき、上面被覆部２３ａと下面被覆部２３ｂが平行状態を維持するように、上部側分割片１５ａ、１５ｂと下部側分割片１８ａ、１８ｂの係合位置は変化している。
【００７６】
さらに、図６（ｅ）に示すように、ファスナー２２（第１マチ部２８ａ）を閉じると、側面被覆部２３ｃの高さが図６（ｄ）に示す状態よりもさらに低くなり、装着具２３を厚さの薄いマットレス１にちょうど装着することができるようになる。このとき、上面被覆部２３ａと下面被覆部２３ｂが平行状態を維持するように、上部側分割片１５ａ、１５ｂと下部側分割片１８ａ、１８ｂの係合位置はさらに変化している。
【００７７】
ここで、図６（ｃ）、図６（ｄ）、図６（ｅ）に示す装着具２３の形態で、それぞれ大中小の厚さのマットレスの厚み寸法に対応するように、予め第１マチ部２８ａ及び第２マチ部２８ｂを設定しておく。
【００７８】
図６（ｃ）、図６（ｄ）、図６（ｅ）のいずれの形態においても、マットレス１の頭部配置側の端部から収容部５（枕２）までの距離（枕２の配置位置）は同じである。すなわち、装着具２３は、マットレス１の厚さによらず、枕２を所定の位置に配置することができる。
【００７９】
また、図６（ｅ）に示す厚さの薄いマットレス１に装着具２３を装着した場合における、装着具２３の別の使用の仕方を説明する。上部側分割片１５ａ、１５ｂの面ファスナー構成部１６ａ、１６ｂと、下部側分割片１８ａ、１８ｂの面ファスナー構成部１９ａ、１９ｂの係合位置は変更せず、側面被覆部２３ｃの第１マチ部２８ａ又は第２マチ部２８ｂを開くと、上面被覆部２３ａと下面被覆部２３ｂの間隔は変わらず、収容部２５の位置が足部配置側へ移動する。すなわち、収容部２５に収容された枕２の位置を足部配置側へ移動させることができる。
【００８０】
次に、図７を参照しながら、図６の装着具２３の変形例の装着具３３について説明する。
図７（ａ）は、装着具３３の展開図であって、装着具３３の外面側を示している。装着具３３は、柔らかい生地で構成されており、図７（ａ）に示すように、上面被覆部３３ａ、下面被覆部３３ｂを有する。
【００８１】
上面被覆部３３ａの外面には、柔らかい生地で構成された布片３４の三辺が縫い付けられて閉じており、一辺が開放されている。すなわち、上面被覆部３３ａと布片３４で収容部３５が形成されており、開放された一辺が開口３５ａを構成している。
【００８２】
上面被覆部３３ａの両側の辺（図７（ａ）では左右の辺）には、上部側分割片４５ａ、４５ｂが設けられている。上部側分割片４５ａは、折れ曲がり部４７ａを介して上面被覆部３３ａと連続している。すなわち上部側分割片４５ａは、折れ曲がり部４７ａによって上面被覆部３３ａと直交するように折れ曲がることができる。同様に、上部側分割片４５ｂも折れ曲がり部４７ｂを介して上面被覆部３３ａと連続しており、上部側分割片４５ｂは折れ曲がり部４７ｂで上面被覆部３３ａと直交するように折れ曲がることができる。
【００８３】
上部側分割片４５ａの二つの角部分（図７（ａ）で見て上下両端の角部分）には、締結紐４６ａ、４６ｂが設けられている。同様に、上部側分割片４５ｂの二つの角部分には、締結紐４６ｃ、４６ｄが設けられている。
【００８４】
また、上面被覆部３３ａにおける両折れ曲がり部４７ａ、４７ｂと直交する辺（図７（ａ）では下側の辺）には、折れ曲がり部５１ａを介して側面被覆部３３ｃが連続している。すなわち、側面被覆部３３ｃは、折れ曲がり部５１ａで上面被覆部３３ａに対して直交するように折れ曲がることができる。
【００８５】
また、側面被覆部３３ｃは、折れ曲がり部５１ｂを介して下面被覆部３３ｂと連続している。すなわち、側面被覆部３３ｃは、折れ曲がり部５１ａと５１ｂの間の部位である。この折れ曲がり部５１ａ、５１ｂの間隔は、装着具３３の一つの形態（厚さ寸法が大きいマットレス１に装着するときの形態）における高さ寸法に相当する。
【００８６】
側面被覆部３３ｃの、折れ曲がり部５１ａ付近には、ファスナー４２の一片４２ａが設けられている。また、折れ曲がり部５１ｂ付近には、ファスナー４２の他片４２ｂが設けられている。ファスナー４２の一片４２ａと他片４２ｂの間の部位（領域）は、第１マチ部５８ａを構成している。
【００８７】
ファスナー４２の一片４２ａ、他片４２ｂの間には、面ファスナー構成部５７ａ、５７ｂから成る面ファスナー５７（固定手段）が設けられている。面ファスナー構成部５７ａ、５７ｂの間の部位（領域）は、第２マチ部５８ｂを構成している。
【００８８】
上述のように、側面被覆部３３ｃには、折れ曲がり部５１ｂを介して下面被覆部３３ｂが連続している。下面被覆部３３ｂは、上面被覆部３３ａと同じ大きさ（面積）を有する。
【００８９】
下面被覆部３３ｂの両側の辺（図７では左右の辺）には、折れ曲がり部５０ａ、５０ｂを介して下部側分割片４８ａ、４８ｂが設けられている。下部側分割片４８ａ、４８ｂは、折れ曲がり部５０ａ、５０ｂによって、下面被覆部３３ｂと直交するように折れ曲がることができる。
【００９０】
下部側分割片４８ａの二つの角部分（図７（ａ）で見て上下両端の角部分）には、上から順に受け部４９ｂ、４９ａが設けられている。同様に、下部側分割片４８ｂの二つの角部分には、上から順に受け部４９ｄ、４９ｃが設けられている。各受け部４９ａ〜４９ｄは、紐状の部材で環を形成したものである。
【００９１】
次に、装着具３３の組み立て方法について説明する。
【００９２】
図７（ｂ）に示すように、折れ曲がり部５１ａ、５１ｂを折り曲げ、側面被覆部３３ｃに対して、上面被覆部３３ａ及び下面被覆部３３ｂを直交させる。このとき、上面被覆部３３ａと下面被覆部３３ｂは平行な状態になる。
【００９３】
また、折れ曲がり部４７ａ、４７ｂを折り曲げ、上面被覆部３３ａに対して上部側分割片４５ａ、４５ｂを直交させる。さらに、折れ曲がり部５０ａ、５０ｂを折り曲げ、下面被覆部３３ｂに対して下部側分割片４８ａ、４８ｂを直交させる。
【００９４】
その結果、上部側分割片４５ａの締結紐４６ａと下部側分割片４８ａの受け部４９ａが上下の位置関係となる。そして、締結紐４６ａを受け部４９ａに結び付ける。同様に、締結紐４６ｂ〜４６ｄを受け部４９ｂ〜４９ｄに結び付ける。これにより、上部側分割片４５ａ、４５ｂと下部側分割片４８ａ、４８ｂが一体化される。図７（ｂ）に示す形態では、装着具３３の高さ寸法は最大となっている。
【００９５】
図示していないが、側面被覆部３３ｃに設けた面ファスナー５７を閉じると、第２マチ部５８ｂが閉じ、装着具３３（側面被覆部３３ｃ）の高さ寸法が小さくなる。このとき、上部側分割片４５ａ、４５ｂの締結紐４６ａ、４６ｂの結び目の位置を変えることにより、上面被覆部３３ａと下面被覆部３３ｂの平行姿勢を維持することができる。すなわち、第２マチ部５８ｂが閉じ、側面被覆部３３ｃの高さが小さくなった分だけ上部側分割片４５ａ、４５ｂと下部側分割片４８ａ、４８ｂを相対的に移動させ、上面被覆部３３ａと下面被覆部３３ｂが平行になった位置で締結紐４６ａ〜４６ｄと受け部４９ａ〜４９ｄを締結する。
【００９６】
また、側面被覆部３３ｃに設けたファスナー４２を閉じると、第１マチ部５８ａが閉じ、側面被覆部３３ｃの高さ寸法がさらに小さくなる。この側面被覆部３３ｃの高さ寸法に合わせて、上部側分割片４５ａ、４５ｂの締結紐４６ａ、４６ｂの結び目の位置を変えることにより、上面被覆部３３ａと下面被覆部３３ｂの平行姿勢を維持することができる。
すなわち、第１マチ部５８ａが閉じ、側面被覆部３３ｃの高さが小さくなった分だけ上部側分割片４５ａ、４５ｂと下部側分割片４８ａ、４８ｂを相対的に移動させ、上面被覆部３３ａと下面被覆部３３ｂが平行になった位置で締結紐４６ａ〜４６ｄと受け部４９ａ〜４９ｄを締結する。
【００９７】
すなわち、第１マチ部５８ａ及び第２マチ部５８ｂを開くと、側面被覆部３３ｃの高さが最大となり、厚さが大きいマットレス１に装着具３３を装着することができる。
【００９８】
また、第２マチ部５８ｂ（面ファスナー５７）を閉じると、側面被覆部３３ｃの高さが低くなり、装着具３３を中程度の厚さのマットレス１にちょうど装着することができるようになる。
【００９９】
さらに、第１マチ部５８ａ（ファスナー４２）を閉じると、側面被覆部３３ｃの高さが最も低くなり、装着具３３を厚さの薄いマットレス１にちょうど装着することができるようになる。
【０１００】
ここで、大中小の厚さのマットレスの厚み寸法に対応するように、予め第１マチ部５８ａ及び第２マチ部５８ｂのサイズを設定しておく。
【０１０１】
また、厚さの薄いマットレス１に装着具３３を装着した場合における、装着具３３の別の使用の仕方を説明する。図示していないが、上部側分割片４５ａ、４５ｂの締結紐４６ａ〜４６ｄと、下部側分割片４８ａ、４８ｂの受け部４９ａ〜４９ｄの係合位置は変更せず、側面被覆部３３ｃの第１マチ部５８ａ又は第２マチ部５８ｂを開くと、上面被覆部３３ａと下面被覆部３３ｂの間隔は変わらず、収容部３５の位置が足部配置側へ移動する。すなわち、収容部３５に収容された枕２の位置を足部配置側へ移動させることができる。
【０１０２】
図７では、上部側分割片４５ａ、４５ｂに締結紐４６ａ〜４６ｄを設けた例を示したが、締結紐４６ａ〜４６ｄの代わりに、受け部４９ａ〜４９ｄと同様の受け部を設け、上部側分割片４５ａ、４５ｂと下部側分割片４８ａ、４８ｂの受け部同士を、別に用意した紐で締結してもよい。
【０１０３】
以上の各実施形態では、マットレス１の六面のうちの五面を覆う装着具３、２３、３３について説明したが、装着具は、マットレス１の残りの一面（図１に示す側面部１ｄ）を覆う側面被覆部を有していてもよい。すなわち、側面部１ｄを覆う側面被覆部にもマチを設けることにより、異なる厚さのマットレスに装着具を装着することができる。
【０１０４】
以上の各実施形態の装着具３、２３、３３は、固形のクッション材を内蔵したマットレスに限らず、エアマットレスにも枕２を好適に装着することができる。
【符号の説明】
【０１０５】
１              マットレス
１ａ            マットレスの上面部
１ｂ            マットレスの下面部
１ｃ            マットレスの側面部
１ｅ、１ｆ      マットレスの交差側面部
２              枕
３              装着具
３ａ            装着具の上面被覆部
３ｂ            装着具の下面被覆部
３ｃ            装着具の側面被覆部
３ｅ、３ｆ      装着具の交差側面被覆部
５              収容部（配置部）
８              側面被覆部のマチ
１０            側面被覆部の面ファスナー（固定手段）
１２            交差側面被覆部のマチ
１４            交差側面被覆部の面ファスナー（固定手段）
２８ａ          側面被覆部のマチ
２９ａ、２９ｂ  上部側分割片と下部側分割片を結合する面ファスナー（結合手段）
４６ａ〜４６ｄ  締結紐（結合手段）
４９ａ〜４９ｄ  受け部（結合手段）
３０            装着具におけるマットレスを取り付ける取付部
【図１】
2020163010.tif 000003
【図２】
2020163010.tif 000004
【図３】
2020163010.tif 000005
【図４】
2020163010.tif 000006
【図５】
2020163010.tif 000007
【図６】
2020163010.tif 000008
【図７】
2020163010.tif 000009